(57)【要約】【課題】従来の金属製、紙質の爪やすりは目の荒さに限界があり、また、数種類の研磨材を消耗しながら取り替え、耐久性はなかった。【解決手段】  ダイヤモンド粉末を耐摩耗性ポリイミド樹脂に練り込んだ混合物樹脂をシートに成形し、この混合物樹脂シート１を硬質板２に接合し、同硬質板の裏面にポリウレタン樹脂シート３を接合することを特徴とする爪みがき器。【選択図】図１
2006158548.tif 000002
【特許請求の範囲】
【請求項１】
ダイヤモンド粉末を耐摩耗性ポリイミド樹脂に練りこんだ混合物樹脂をシートに成形し、この混合物樹脂シートを硬質板に接合し、同硬質板の裏面にポリウレタン樹脂シートを接合することを特徴とする爪みがき器。
【請求項２】
上記ダイヤモンド粉末の粒径が２０から１００ミクロンであることを特徴とする請求項１記載の爪みがき器。
【請求項３】
上記ポリウレタン樹脂シートにトルマリンが含まれていることを特徴とする請求項１又は請求項２記載の爪みがき器。
【発明の詳細な説明】
【技術分野】
【０００１】
本発明は、卓上等において爪をみがくための爪みがき器に関する。
【背景技術】
【０００２】
従来の爪みがきでは、金属製爪切りに付属するやすりと、やすりだけを目的とした金属製又は紙質材に研磨粒子を付着させたものがほとんどである。紙質材研磨方法では、使用中に研磨粒子の脱落から研磨効果も低下し耐久性は望めない。
【０００３】
また、金属製やすりは、やすりの目の荒さから、粗野な研磨となり、なめらかに仕上げることには限界がある。また、市販されている数種のアタッチメント交換方法の電動式研磨部分回転式爪みがき器は、爪みがき方法としては煩雑である。実登３０３８３５６の提案では、指先に接着して用いる紙質基材の消耗品である。実開平５５１２０５の提案では、ダイヤモンド粒子が使用中に剥がれ落ち、耐久性は短い。特願２００４２７５６４２の提案は、やすりの目や、研磨基材の粒子サイズも不特定であり、爪先のなめらかな仕上げに適さない。
【０００４】
【特許文献１】実登３０３８３５６
【特許文献２】実開平５５１２０５
【特許文献３】特願２００４２７５６４２
【発明の開示】
【発明が解決しようとする課題】
【０００５】
解決しようとする問題点は、個人的、家庭的な爪切りに付属する金属製爪やすり及び、研磨紙を用いる爪やすりは、研磨やすり自体の目の荒さに限界があり、数種類の段階の研磨を繰り返す必要があった。爪先が粗野のまま、皮膚のかゆみから掻き傷を残す原因にもなり、粗野な爪さきではシルクの生地に傷を残してしまうことがある。爪さきのなめらかな感触を得るには、２０ミクロンから１００ミクロンの微細な研磨単位が必要である。
【課題を解決するための手段】
【０００６】
請求項１記載の爪みがき器は、ダイヤモンド粉末を耐磨耗性ポリイミド樹脂に練りこんだ混合樹脂をシート成形し、この混合樹脂シートを硬質板に接合する爪みがき器であり、請求項２記載の爪みがき器は、上記ダイヤモンド粉末の粒径が、２０ミクロンから１００ミクロンとされており、請求項３に記載の爪みがき器は、ポリウレタン樹脂シートにトルマリンを含まれていることを特徴とする。
【０００７】
ダイヤモンド粒径の制限の根拠は、粒径が２０ミクロン以下では爪みがきには時間がかかりすぎ、また、１００ミクロン以上の大きさでは、粗野な仕上げとなる。爪みがきとして適切な粒径であるダイヤモンド粉末を、耐摩耗性にすぐれたポリイミド樹脂に練り込んだ材料としては、例えば株式会社新日産ダイヤモンド工業社製のポリモンドがある。
【０００８】
また、ポリウレタン樹脂にトルマリンを含むポリウレタン樹脂シートとしては、爪みがき器を滑りにくくするタック性も有するものが好ましく、例えばアキレス株式会社製のトルマレックスが挙げられる。
【０００９】
上記の構成と、爪みがき器の外観を構成する硬質板には、木製、金属板、硬質樹脂板が適当であり、こうした硬質板を用いれば、指先動作の圧力を硬質板で受け止め、適度な摩擦から研磨する指先動作を、使用者に使い良い形状として提供する事が出来る。
【００１０】
ダイヤモンド粉末をポリイミド樹脂に練りこんだ混合樹脂をシートに成形し、任意の形状にナイフ等より切断したシート部材を、硬質板、たとえば、木質、金属板、硬質樹脂板などへ接合しても良い。
【００１１】
切断する混合樹脂シートの形状は、指先運動の弧を描く動作に対応する六角形や、三角形、楕円形、ハート形、先端部を弧状とする長方形、正方形、菱形などがある。
【００１２】
また、爪みがきを混合樹脂シート上で動作することにより、混合樹脂シートの付加機能の面積範囲を越える動作もあり得る。混合樹脂シートと硬質板に接合することから段差が生じ、円滑な爪みがきを損なうことが想定される。
【００１３】
そこで、混合樹脂シート表面と同じ高さの表層部分を混合樹脂シートの周囲に付加することにより、混合樹脂シートの付加機能の面積範囲を越えた指先運動の弧を描く動作を円滑に継続させる平滑な構造も必要となる。
【００１４】
混合樹脂シートの付加機能の面積範囲と爪みがきの指先運動の弧を描く動作を円滑に継続する上で、混合樹脂シートの周囲を平滑な高さにするには、二つの方法が考えられる。
【００１５】
ひとつには、硬質板に混合樹脂シートと同じ厚みと同寸法の形状の低い平面を硬質板に形成し、その低く形成され凹んだ面に混合樹脂シートと同寸法を接合することにより機能面積の混合樹脂シートと硬質板を平滑にする方法である。
【００１６】
また、別の手段に混合樹脂シートの付加機能面積と混合樹脂シートの周囲を平滑にするには、工業材料として流通するペット樹脂をフィルム加工したシートを硬質板に接合する。
【００１７】
さらに、混合樹脂シートに重なる混合樹脂シート寸法の面積だけを切断し、混合樹脂シートを露出させ平滑にする方法である。
【発明の効果】
【００１８】
上記の手段から、爪みがきをしようとする任意の指先の左右上下、継続する弧運動と指先動作に加える圧力から、粒径２０ミクロンから粒径１００ミクロンのダイヤモンド粉末をもってなめらかな爪先みがき効果を耐久的に提供するものである。
【００１９】
さらにトルマリンを含むポリウレタン樹脂をシート成形し、硬質板に結合することにより、爪みがき器の底面を滑りにくいタック性があるため、卓上で用いても、移動しにくく爪みがき器として安定して作業することができ、単調な動作にヒーリング効果も付与するものである。
【００２０】
構造上金属製刃物部分がなく、幼児や学童が直接混合樹脂シートに触れて爪みがき動作をしても混合樹脂シート自体は柔軟であり、手の圧力では指先の皮膚に擦り傷が残らないことも挙げられる。
【００２１】
混合樹脂シートの切断形状に大きさや形状の変化を提供することにより、高価なダイヤモンドを練り込んだ混合樹脂シートの爪みがき器に美観的な形状とデザイン性を提供でき、購入者に対して形状選定の楽しさも付加できる。
【発明を実施するための最良の形態】
【００２２】
以下本発明の実施例の図面を用いて説明する。
【実施例１】
【００２３】
図１は、爪みがき器の実施の例による断面図である。
１は、ダイヤモンド粉末を含有するポリイミド混合樹脂シートであって、新日産ダイヤモンド工業社製研磨樹脂ポリモンドの、厚さ１００ミクロンで呼称２００番を用いた。
【００２４】
混合樹脂シートの寸法は、タテ４０ミリメートル。ヨコ４０ミリメートルを六角形に切断した形状を接合する。
【００２５】
２は、硬質なアクリル樹脂板であり、厚みは３ミリメートル。寸法は、タテ１１センチメートル。ヨコ１１センチメートル。
【００２６】
３は、トルマリンを含むポリウレタン樹脂シートであってアキレス株式会社製ポリウレタン樹脂トルマレックスのシートの厚さ、0.６ミリメートルを硬質板と同寸法に接着剤で接合したものでる。
【実施例２】
【００２７】
図２は、硬質板の一部を混合樹脂シートの接合部分だけの厚みや寸法だけ凹ませて低く成形し、混合樹脂シートの接合を平滑にした実施例２の断面図を示す。
【実施例３】
【００２８】
図３及び図４は、混合樹脂シートの美観を考えた実施例１の形状である混合樹脂シートを六角形に切断し、その周囲を厚さ１００ミクロンのペット樹脂シートを六角形の窓を切り抜いた実施例１と同じ硬質アクリル板を用い貼付けた実施例を示す。このようにすれば、高価なダイヤモンドを練り込んだ混合樹脂シートの使用量が少量で済みかつ、機能的なデザインを付加することができた。
【００２９】
図４は、斜視図である。
【産業上の利用可能性】
【００３０】
本発明は、指先が顧客に触れる可能性の高いサービス業務の理容分野や身体マッサージ業のカイロプラクティス又は、歯科衛生など、業務上、特に直接顧客の身体に触れる可能性が高いサービス従事者に有益である。個人的、家庭的な利用にあっては、爪先のなめらかな仕上げを自ら獲得することが可能であり、耐久性も  有する。
【図面の簡単な説明】
【００３１】
【図１】は、実施例１を示す断面図。
【図２】は、実施例２を示す断面図。
【図３】は、実施例３を示す断面図。
【図４】は、実施例３の斜視図。
【符号の説明】
【００３２】
１混合樹脂シート。
２硬質板。
3ポリウレタン樹脂。
【図１】
2006158548.tif 000003
【図２】
2006158548.tif 000004
【図３】
2006158548.tif 000005
【図４】
2006158548.tif 000006